【事件の表示】
　特許第６３４９０１１号発明「空気調和機」の特許異議申立事件について、次のとおり決定する。
【結　論】
　特許第６３４９０１１号の特許請求の範囲を訂正請求書に添付された訂正特許請求の範囲のとおり訂正後の請求項８、１１及び１４について訂正することを認める。
　特許第６３４９０１１号の請求項８、１１、１４に係る特許を維持する。
【理　由】
第１　手続の経緯
　特許第６３４９０１１号の請求項１ないし１６に係る特許についての出願は、平成２９年４月２８日に出願され、平成３０年６月８日にその特許権の設定登録がされ、平成３０年６月２７日に特許掲載公報が発行された。
本件異議申立ての経緯は、次のとおりである。
平成３０年１２月２７日：特許異議申立人　安川　千里（以下、「異議申立人」という。）による請求項８、１１及び１４に係る特許に対する異議の申立て
平成３１年３月１９日付け：取消理由通知書
令和１年５月１７日：特許権者による意見書及び訂正請求書の提出
令和１年５月２１日付け：訂正請求があった旨の通知（特許法第１２０条の５第５項）
令和１年６月２４日：異議申立人による意見書の提出
令和１年７月２２日付け：取消理由通知書（決定の予告）
令和１年９月２４日：特許権者による意見書及び訂正請求書の提出
令和１年９月２６日付け：訂正請求があった旨の通知（特許法第１２０条の５第５項）
令和１年１０月３１日：異議申立人による意見書の提出
　
第２　訂正の請求
１　訂正の内容
　令和１年９月２４日付けの訂正請求書による訂正（以下、「本件訂正」という。）の内容は、次の訂正事項よりなる。（なお、下線を付した箇所は訂正箇所である。）
　
（１）訂正事項１
　特許請求の範囲の請求項８に
「前記室内熱交換器を構成するフィンと前記ドレンパンとは接触しており、
　前記ドレンパンを構成する凹凸のうちの凹んだ部分の内側に前記フィンの先端が接触していることを特徴とする空気調和機。」とあるのを、
　
「
前記ドレンパンは、弾力性を有する断熱材を備えるものであり、前記断熱材は、前記ドレンパンの内側の表面を構成するとともに凹凸を前記凹凸として表面に有し、
　前記室内熱交換器を構成するフィン
は、
、前記ドレンパンの内側を構成する前記断熱材を介して
　前記ドレンパンを構成する凹凸のうちの凹んだ部分の内側に前記フィンの先端が
前記断熱材を介して
　
（２）訂正事項２
　特許請求の範囲の請求項１１に
「前記ドレンパンのうち、前記結露水が流れる部分には撥水性の表面が配置されていることを特徴とする空気調和機。」とあるのを、
　
「
前記ドレンパンは、弾力性を有する断熱材を備えるものであり、前記断熱材は、前記ドレンパンの内側の表面を構成するとともに凹凸を前記凹凸として表面に有し、
　
前記室内熱交換器を構成するフィンは、前記ドレンパンとは、前記ドレンパンの内側を構成する前記断熱材を介して接触しており、
　
前記ドレンパンを構成する凹凸のうちの凹んだ部分の内側に前記フィンの先端が前記断熱材を介して接触しており、
　前記ドレンパンのうち、前記結露水が流れる部分には撥水性の表面が配置されていることを特徴とする空気調和機。」と訂正する。
　
（３）訂正事項３
　特許請求の範囲の請求項１４に
「前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
　前記室内熱交換器の表面に霜を発生させた後に、発生した霜を解凍することで液体の水を発生させて、結露水として前記ドレンパンに流すことを特徴とする空気調和機。」とあるのを、
　
「
前記ドレンパンは、弾力性を有する断熱材を備えるものであり、前記断熱材は、前記ドレンパンの内側の表面を構成するとともに凹凸を前記凹凸として表面に有し、
　
前記室内熱交換器を構成するフィンは、前記ドレンパンとは、前記ドレンパンの内側を構成する前記断熱材を介して接触しており、
　
前記ドレンパンを構成する凹凸のうちの凹んだ部分の内側に前記フィンの先端が前記断熱材を介して接触しており、
　前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
　前記室内熱交換器の表面に霜を発生させた後に、発生した霜を解凍することで液体の水を発生させて、結露水として前記ドレンパンに流すことを特徴とする空気調和機。」と訂正する。
　
２　訂正の目的の適否、新規事項の追加の有無、及び特許請求の範囲の拡張・変更の存否
　
（１）訂正事項１
ア　訂正の目的について
　訂正事項１は、訂正前の「ドレンパン」に対して、「弾力性を有する断熱材を備えるものであり、前記断熱材は、前記ドレンパンの内側の表面を構成するとともに凹凸を前記凹凸として表面に有」することを限定するとともに、訂正前の「前記室内熱交換器を構成するフィンと前記ドレンパンとは接触」することにおける「接触」に対して、「前記ドレンパンの内側を構成する前記断熱材を介して接触」することを限定し、さらに、訂正前の「前記ドレンパンを構成する凹凸のうちの凹んだ部分の内側に前記フィンの先端が接触」することにおける「接触」に対して、「前記断熱材を介して接触」することを限定するものである。
　したがって、訂正事項１は、特許法第１２０条の５第２項ただし書第１号に掲げる特許請求の範囲の減縮を目的とするものである。
　
イ　願書に添付した明細書、特許請求の範囲又は図面に記載した事項の範囲内の訂正であること
　訂正事項１は、本願明細書の段落【００３６】、【００４６】ないし【００４８】及び図５の記載に基づく訂正であるから、願書に添付した明細書又は特許請求の範囲に記載した範囲内の訂正である。
　したがって、訂正事項１は、特許法第１２０条の５第９項で準用する特許法第１２６条第５項の規定に適合するものである。
　
ウ　実質上特許請求の範囲を拡張し、又は変更する訂正ではないこと
　訂正事項１は、上記アのように訂正前の請求項８に記載された事項をさらに限定するものであって、カテゴリーや対象、目的を変更するものではないから、実質上特許請求の範囲を拡張し、又は変更するものには該当しない。
　したがって、訂正事項１は、特許法第１２０条の５第９項で準用する特許法第１２６条第６項の規定に適合するものである。
　
（２）訂正事項２
ア　訂正の目的について
　訂正事項２は、訂正前の「ドレンパン」に対して、「前記ドレンパンは、弾力性を有する断熱材を備えるものであり、前記断熱材は、前記ドレンパンの内側の表面を構成するとともに凹凸を前記凹凸として表面に有し、前記室内熱交換器を構成するフィンは、前記ドレンパンとは、前記ドレンパンの内側を構成する前記断熱材を介して接触しており、前記ドレンパンを構成する凹凸のうちの凹んだ部分の内側に前記フィンの先端が前記断熱材を介して接触して」いることを限定するものである。
　したがって、訂正事項２は、特許法第１２０条の５第２項ただし書第１号に掲げる特許請求の範囲の減縮を目的とするものである。
　
イ　願書に添付した明細書、特許請求の範囲又は図面に記載した事項の範囲内の訂正であること
　訂正事項２は、本願明細書の段落【００３６】、【００４６】ないし【００４８】及び図５の記載に基づく訂正であるから、願書に添付した明細書又は特許請求の範囲に記載した範囲内の訂正である。
　したがって、訂正事項２は、特許法第１２０条の５第９項で準用する特許法第１２６条第５項の規定に適合するものである。
　
ウ　実質上特許請求の範囲を拡張し、又は変更する訂正ではないこと
　訂正事項２は、上記アのように訂正前の請求項１１に記載された事項をさらに限定するものであって、カテゴリーや対象、目的を変更するものではないから、実質上特許請求の範囲を拡張し、又は変更するものには該当しない。
　したがって、訂正事項２は、特許法第１２０条の５第９項で準用する特許法第１２６条第６項の規定に適合するものである。
　　　　
（３）訂正事項３
ア　訂正の目的について
　訂正事項３は、訂正前の「ドレンパン」に対して、「前記ドレンパンは、弾力性を有する断熱材を備えるものであり、前記断熱材は、前記ドレンパンの内側の表面を構成するとともに凹凸を前記凹凸として表面に有し、前記室内熱交換器を構成するフィンは、前記ドレンパンとは、前記ドレンパンの内側を構成する前記断熱材を介して接触しており、前記ドレンパンを構成する凹凸のうちの凹んだ部分の内側に前記フィンの先端が前記断熱材を介して接触して」いることを限定するものである。
　したがって、訂正事項３は、特許法第１２０条の５第２項ただし書第１号に掲げる特許請求の範囲の減縮を目的とするものである。
　
イ　願書に添付した明細書、特許請求の範囲又は図面に記載した事項の範囲内の訂正であること
　訂正事項３は、本願明細書の段落【００３６】、【００４６】ないし【００４８】及び図５の記載に基づく訂正であるから、願書に添付した明細書又は特許請求の範囲に記載した範囲内の訂正である。
　したがって、訂正事項３は、特許法第１２０条の５第９項で準用する特許法第１２６条第５項の規定に適合するものである。
　
ウ　実質上特許請求の範囲を拡張し、又は変更する訂正ではないこと
　訂正事項３は、上記アのように訂正前の請求項１４に記載された事項をさらに限定するものであって、カテゴリーや対象、目的を変更するものではないから、実質上特許請求の範囲を拡張し、又は変更するものには該当しない。
　したがって、訂正事項３は、特許法第１２０条の５第９項で準用する特許法第１２６条第６項の規定に適合するものである。
　
３　むすび
　以上のとおりであるから、本件訂正は、特許法第１２０条の５第２項ただし書第１号に掲げる事項を目的とするものであり、かつ、同条第９項で準用する同法第１２６条第５項及び第６項の規定に適合するので、訂正後の請求項８、１１及び１４について訂正することを認める。
　
第３　特許異議の申立てについて
１　本件訂正発明
　本件訂正の請求により訂正された請求項８、１１及び１４に係る発明（以下、それぞれ「訂正発明８」、「訂正発明１１」及び「訂正発明１４」という。また、これらを総称して「訂正発明」という。）は、その特許請求の範囲の請求項８、１１及び１４に記載された次の事項により特定されたとおりのものである。
　
「【請求項８】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、弾力性を有する断熱材を備えるものであり、前記断熱材は、前記ドレンパンの内側の表面を構成するとともに凹凸を前記凹凸として表面に有し、
　前記室内熱交換器を構成するフィンは、前記ドレンパンとは、前記ドレンパンの内側を構成する前記断熱材を介して接触しており、
　前記ドレンパンを構成する凹凸のうちの凹んだ部分の内側に前記フィンの先端が前記断熱材を介して接触していることを特徴とする空気調和機。」
　
「【請求項１１】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、弾力性を有する断熱材を備えるものであり、前記断熱材は、前記ドレンパンの内側の表面を構成するとともに凹凸を前記凹凸として表面に有し、
　前記室内熱交換器を構成するフィンは、前記ドレンパンとは、前記ドレンパンの内側を構成する前記断熱材を介して接触しており、
　前記ドレンパンを構成する凹凸のうちの凹んだ部分の内側に前記フィンの先端が前記断熱材を介して接触しており、
　前記ドレンパンのうち、前記結露水が流れる部分には撥水性の表面が配置されていることを特徴とする空気調和機。」
　
「【請求項１４】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、弾力性を有する断熱材を備えるものであり、前記断熱材は、前記ドレンパンの内側の表面を構成するとともに凹凸を前記凹凸として表面に有し、
　前記室内熱交換器を構成するフィンは、前記ドレンパンとは、前記ドレンパンの内側を構成する前記断熱材を介して接触しており、
　前記ドレンパンを構成する凹凸のうちの凹んだ部分の内側に前記フィンの先端が前記断熱材を介して接触しており、
　前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
　前記室内熱交換器の表面に霜を発生させた後に、発生した霜を解凍することで液体の水を発生させて、結露水として前記ドレンパンに流すことを特徴とする空気調和機。」
　
２　取消理由（決定の予告）の概要
　本件訂正前の請求項８、１１及び１４に係る特許に対して、当審が令和１年７月２２日付けで特許権者に通知した取消理由（決定の予告）の概要は次のとおりである。
　
ア　［理由２］本件特許の請求項８、１１及び１４に係る発明は、本件特許の出願前日本国内または外国において頒布された下記の甲１、２、７ないし９及び１０号証並びに参考資料１及び２に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。　
　
　　　　　　　　　　　　　　　　記
　
＜甲号証一覧＞ 
甲第１号証：特開２０１０−１４２８８号公報 
甲第２号証：特開２００５−２１４５６０号公報 
甲第７号証：特開２００３−１２０９５２号公報 
甲第８号証：特開２００４−２７８９５３号公報 
甲第９号証：特開２００６−４６６９４号公報 
甲第１０号証：特開平８−１５２１５２号公報 
　
＜参考資料＞
　請求人が令和１年６月２４日に意見書とともに提出した参考資料のうち参考資料１及び参考資料２
参考資料１：国際公開第２０１６／１３９８０６号
参考資料２：国際公開第２００７／０５２５９３号
　
　また、特許異議申立書について証拠として挙げられたが取消理由（決定の予告）において採用しなかった文献は次のとおりである。
甲第３号証：特開２００１−１５３３９１号公報
甲第４号証：特開２００１−９０９８６号公報
甲第５号証：特開２０１１−１４４９６７号公報
甲第６号証：特開２０１７−４４４０５号公報
甲第１１号証：特開２０１１−１６９４９５号公報
　
（当審注：以下、上記「甲第〇号証」を「甲〇」、「本件特許の請求項○に係る発明」を「本件発明○」、さらに「参考資料○」を「参考○」という。）
　
イ　［理由２］について　
（１）請求項８
　本件発明８は、甲１、甲２、甲８に記載された発明及び周知技術１（参考１及び参考２）から当業者が容易になし得たものである。
　
（２）請求項１１
　本件発明１１は、甲１、甲２、甲８に記載された発明、周知技術１（参考１及び参考２）及び周知技術２（甲７ないし甲１０）に記載された発明から当業者が容易になし得たものである。
　
（３）請求項１４
　本件発明１４は、甲１、甲２、甲８に記載された発明及び周知技術１（参考１及び参考２）から当業者が容易になし得たものである。
　
３　甲１、２、７ないし９及び１０の記載　　
（１）甲１
ア　甲１の記載
１ａ）「【請求項１】 
　室内の空気を吸い込む吸込口と吸い込まれた前記空気を室内に吹き出す吹出口が本体ケースに形成され、前記吸込口と前記吹出口を連通する送風路内に室内熱交換器と室内送風機とが配置された室内機と、室外送風機と圧縮機と室外熱交換器と電動膨張弁が配置された室外機と、を有する空気調和機であって、 
　前記室内熱交換器は、親水性プレコートフィンで構成し、前記フィンの少なくも一部を着霜させる着霜運転を行い、その後除霜運転により除霜水を発生させて前記室内熱交換器の前記フィン表面に付着した汚れを除去する手段を備えたことを特徴とする空気調和機。」
　
１ｂ）「
　　　　　　　　　　　　　　　　　　　　　　　　　　　　　　　　　　　　　　　　　　　　　　　　　　　　　　　　　　　　　　　　　　　」
　
１ｃ）「【００１１】 
　図１に示す空気調和機の室内機１は、室内機本体１１を有しており、室内機本体１１は本体ケース１２Ｐを有している。可動パネル１２は本体ケース１２Ｐの前面側に開閉可能に設けられており、本体ケース１２Ｐは後板１３を有している。可動パネル１２には前部吸込口１２ａが開口され、本体ケース１２Ｐの上部には上部吸込口１２ｂが開口されている。室内機本体１１内には、除湿絞り手段を構成する除湿用絞り弁５と、エアフィルタ１６と、室内熱交換器１７と、室内送風機１９が配置されている。 
【００１２】 
　図１に示す室内熱交換器１７は、前部吸込口１２ａに対向する前側熱交換器部１７Ａと、上部吸込口１２ｂに対向する後側熱交換器部１７Ｂとから構成されている。これらの前側熱交換器部１７Ａと後側熱交換器部１７Ｂは、本体ケース１２Ｐ内においてほぼ逆Ｖ字状に形成されている。前側熱交換器部１７Ａは、ほぼ円弧状に形成されて室内機本体１１の前面側に配置され、後側熱交換器部１７Ｂは、室内機本体１１の上部後面側に配置されている。前側熱交換器部１７Ａと後側熱交換器部１７Ｂの内側の空間には、除湿用絞り弁５と室内熱交換器１７が配置されている。 
【００１３】 
　前側熱交換器部１７Ａの下部には、前ドレンパン１８ａが配置され、後側熱交換器部１７Ｂの下部には、後ドレンパン１８ｂが配置されている。後板１３には、後ドレンパン１８ｂの下部側に送風路２０が形成され、室内機本体１１の下部には吹出口２１が開口されている。送風路２０と吹出口２１はつながっており、吹出口２１には、上下風向を設定するためのルーバー（水平ルーバーとも言う）２２，２３が配置されている。これらのルーバー２２，２３はＲ方向に向きを変えることにより、運転モードに応じて吹出口２１から室内に吹き出される風の向きを変えることができる。」　 
　
１ｄ）「【００１４】 
　図２は、空気調和機の制御ブロックの例を示している。 
　図２に示す制御ブロックでは、室内機１と室外機３０およびリモートコントローラ７０を示している。 
【００１５】 
　室内機１側には、室内制御部５０、リモートコントローラ７０との送受信部５１、室内吸込み空気と室内熱交換器の各温度センサＴＳ、吹出口のルーバー２２，２３及び左右風向を設定するためのルーバー（図示せず）を夫々駆動するためのモータ５２，５３，５４、室内送風機１９のファンモータ５５、前側熱交換器部１７Ａと後側熱交換器部１７Ｂ、除湿用絞り弁５を備えている。除湿用絞り弁５は、前側熱交換器部１７Ａと後側熱交換器部１７Ｂの間に配置されている。室内制御部５０は、各温度センサＴＳの検出する温度信号を受ける。室内制御部５０は、各ルーバー駆動用のモータ５２、５３，５４とファンモータ５５の動作を制御し、除湿用絞り弁５の絞り制御を行う。」 
　
１ｅ）「【００３０】 
　図３に示す室内熱交換器１７の温度センサＴＳは、室内熱交換器１７の温度ＴＣを測定する。この室内熱交換器１７の温度センサＴＳは除湿用絞り弁５の冷媒出口５Ｃ側の冷媒配管６Ｆに配置されている。除湿用絞り弁５により冷媒の流れを絞った際の除湿運転サイクル時に室内熱交換器１７の凍結を防止するために、この室内熱交換器１７の温度センサＴＳは除湿用絞り弁５の冷媒出口部５Ｃ側の冷媒配管６Ｆに配置され、室内熱交換器１７の温度が０℃以上になるように制御している。」 
　
１ｆ）「【００５１】 
　図７では、縦軸が室内熱交換器１７の温度（ＴＣ）を示し、横軸が時間を示している。
　図７に示すように、通常の冷房運転サイクル時には、室内熱交換器１７の凍結を防止するために、室内熱交換器１７の温度（ＴＣ）が０℃以上になるように制御している。しかし、本発明の実施形態では、室内熱交換器１７の温度（ＴＣ）が温度Ｔｃｉｃｅ（ただし、Ｔｃｉｃｅ＜０℃）をＴ時間以上設けることにより、室内熱交換器１７の親水性プレコートフィンＦに対して着霜させる。この室内熱交換器１７の温度（ＴＣ）の値と時間Ｔの長さを調整することにより、親水性プレコートフィンＦに対する着霜量を調整することができる。 
【００５２】 
　図３に示すように、除湿用絞り弁５の下流側である前側熱交換器部１７Ａの表面側の熱交換パイプＰ（Ｐ３）と後側熱交換器部１７Ｂの表面側の熱交換パイプＰ（Ｐ４）に、除湿用絞り弁５を通った後の冷媒が通るように、すなわち除湿用絞り弁５を通った後の冷媒が前側熱交換器部１７Ａの表面側と後側熱交換器部１７Ｂの表面側に通るように、室内熱交換器１７の冷媒パスを設定している。これにより、汚れが付着し易い前側熱交換器部１７Ａの表面側と後側熱交換器部１７Ｂの表面側に対して効率良く着霜することができる。 
【００５３】 
　しかも、冷房運転により着霜させることにより、室内熱交換器１７の全体に効率良く着霜させることができ、その後暖房運転もしくは送風運転により加熱することで霜が溶けて除霜水が生じるので、この除霜水が親水性プレコートフィンＦの汚れを効率良く除去できる。」 
　
１ｇ）「【００５９】 
　図９では、縦軸が室内熱交換器１７の温度（ＴＣ）を示し、横軸が時間を示している。
　図９に示すように、通常の冷房運転サイクル時には、室内熱交換器１７の凍結を防止するために、室内熱交換器１７の温度（ＴＣ）が０℃以上になるように制御している。しかし、本発明の実施形態では、室内熱交換器１７の温度（ＴＣ）が温度Ｔｃｉｃｅ（ただし、Ｔｃｉｃｅ＜０℃）をＴ時間以上設けることにより、室内熱交換器１７の親水性プレコートフィンＦに対して着霜させる。この室内熱交換器１７の温度（ＴＣ）の値と時間（着霜運転時間）Ｔの長さを調整することにより、親水性プレコートフィンＦに対する着霜量を調整することができる。 
【００６０】 
　その後、室内熱交換器１７の除霜をする場合には、室内熱交換器１７の温度を利用して、室内熱交換器１７の温度Ｔｃｄｅｆ（ただし、Ｔｃｄｅｆ＞０℃）が時間Ｔｄｅｆの間設定されることにより、室内熱交換器１７の除霜を行うことができる。なお、除霜終了の判定は、室内熱交換器１７の温度ＴＣの値により行われるが、例えば図８に示す例では、室内熱交換器１７の温度ＴＣが最大温度になった時に除霜作業が終了したと判定する。」 
　
１ｈ）図１及び図６から、凹凸を表面に有する前ドレンパン１８ａは、室内熱交換器１７の下方に配置されることが看取できる。 
　
１ｉ）上記１ｄ）及び１ｅ）の記載から、通常の冷房運転サイクル時及び除湿運転サイクル時には、凍結を防止するために室内熱交換器１７の温度が０℃以上になるように制御していることが理解できる。 
　
イ　甲１に記載された発明 
　上記ア及び図１ないし図１０の記載から、甲１には以下の発明が記載されている。 
 　 
ｉ）甲１発明１ 
「室内送風機１９と、
　室内熱交換器１７と、
　室内熱交換器１７の下方に配置されて凹凸を表面に有する前ドレンパン１８ａと、 
　通常の冷房運転サイクル時及び除湿運転サイクル時には、室内熱交換器１７の温度が０℃以上となるようにするとともに、着霜運転時には、室内熱交換器１７の温度（ＴＣ）を温度Ｔｃｉｃｅ（ただし、Ｔｃｉｃｅ＜０℃）とする室内制御部５０と、を備える室内機１を有する空気調和機。」（以下、「甲１発明１」という。）
　
ｉｉ）甲１発明２ 
「室内送風機１９と、
　室内熱交換器１７と、
　室内熱交換器１７の下方に配置されて凹凸を表面に有する前ドレンパン１８ａと、 
　通常の冷房運転サイクル時及び除湿運転サイクル時には、室内熱交換器１７の温度が０℃以上となるようにするとともに、着霜運転時には、室内熱交換器１７の温度（ＴＣ）を温度Ｔｃｉｃｅ（ただし、Ｔｃｉｃｅ＜０℃）とする室内制御部５０と、を備える室内機１を有し、
　室内制御部５０は、室内熱交換器１７の温度（ＴＣ）を温度Ｔｃｉｃｅ（ただし、Ｔｃｉｃｅ＜０℃）とすることによって室内熱交換器１７の親水性プレコートフィンＦに対して着霜させ、
　室内熱交換器１７の親水性プレコートフィンＦに対して着霜させた後に、室内熱交換器１７の除霜を行うことにより除霜水を発生させる、空気調和機。」（以下、「甲１発明２」という。） 
　
（２）甲２ 
ア　甲２技術 
　段落【００３３】ないし【００３８】の記載並びに図３及び図５からみて、甲２には以下の技術が記載されている。 
　
　「空気調和機１の室内機２において、第２熱交換部２０ｂのフィン１３の先端を、凹凸を表面に有するドレンパンの凹部の内側に対して近接配置する技術。」（以下、「甲２技術」という。） 
　
（３）甲７ 
ア　甲７技術 
 　段落【００１４】及び【００１７】の記載並びに図１、図２及び図４からみて、甲７には以下の技術が記載されている。 
　
　「空気調和機の室内ユニットにおいて、ドレンパン５の表面及び内部を撥水材９で構成する技術。」（以下、「甲７技術」という。） 
　
（４）甲８ 
ア　甲８技術１ 
　段落【０１０６】ないし【０１１２】の記載及び図２９からみて、甲８には以下の技術が記載されている。 
 　 
　「空気調和機の室内ユニット１において、熱交換器４の先端を凹凸を表面に有するドレンパン１５ａの凹部の内側に対して近接配置する技術。」（以下、「甲８技術１」という。）
 　 
イ　甲８技術２ 
　請求項４、段落【００１１】、【００１３】、【００１４】及び段落【０１０７】ないし【０１１２】並びに図２９からみて、甲８には以下の技術が記載されている。 
　
　「空気調和機の室内ユニット１におけるドレンパン１５ａ、１５ｂの内壁面に、撥水性バインダー樹脂、ポリテトラフルオロエチレン粒子、分散剤、低熱容量の粒子及び溶媒からなる表面処理用組成物で形成した塗膜を施す技術。」（以下、「甲８技術２」という。）
 　 
（５）甲９ 
ア　甲９技術 
　請求項１３、段落【００１８】、【００３９】及び段落【００７８】ないし【００８１】並びに図１３及び図１４からみて、甲９には以下の技術が記載されている。
　
　「空気調和装置１の室外側熱交換器２の下方に設けられたドレンパン６の上面６ａに、滑水性及び撥水性処理を施す技術。」（以下、「甲９技術」という。） 
　
（６）甲１０ 
ア　甲１０技術 
　請求項１ないし４、段落【００１５】、【００２３】及び【００２４】ないし【００２６】の記載並びに図１及び図２からみて、甲１０には以下の技術が記載されている。
　
　「空気調和機の室内機に設けられる熱交換器からのドレンを受けるドレンパンの表面に撥水性のコーティングを施す技術。」（以下、「甲１０技術」という。） 
　
４　参考資料について　
　請求人は、令和１年５月１７日にされた訂正請求に対して令和１年６月２４日に参考資料１ないし６を意見書とともに提出している。
　そのうち、参考資料１及び２（以下、「参考１」及び「参考２」という。）には以下のとおりの技術が記載されている。
　
（１）参考１（国際公開２０１６／１３９８０６号）
ア　参考１技術
　段落［００１５］、［００３９］及び［００４０］の記載並びに図２の記載からみて、参考１には以下の技術が記載されている。
　
　「表面に断熱材４６を配置した背面側ドレンパン４５において、背面側ドレンパン４５を構成する吸込風路壁構成部材４１を断熱材４６を介して背面側熱交換器５ｂの先端部で押さえる技術。」（以下、「参考１技術」という。）
　
（２）参考２（国際公開２００７−０５２５９３号）
ア　参考２技術
　段落［００１７］及び［００１８］の記載並びに図１０の記載からみて、参考２には以下の技術が記載されている。
　
　「表面に断熱部材４６を配置したドレンパン４において、熱交換器６の下端部６ａをドレンパン４の断熱部材４３の上面に密着させ、熱交換器６の下端部６ａと断熱部材４３との間の隙間をなくす技術。」（以下、「参考２技術」という。）
　
５　［理由２］（特許法第２９条第２項）について
（１）訂正発明８
　訂正発明８と甲１発明１とを対比する。
　甲１発明１における「室内送風機１９」は、その機能、構成又は技術的意義から訂正発明８における「貫流ファン」に相当し、以下同様に、「室内熱交換器１７」は「室内熱交換器」に、「通常の冷房運転サイクル時及び除湿運転サイクル時」は「冷房運転時及び除湿運転時」に、「室内制御部５０」は「制御部」に、「室内機１」は「室内機」にそれぞれ相当する。
　そして、甲１発明１における「凹凸を表面に有する前ドレンパン１８ａ」は、技術常識からみて、ドレンパンは熱交換器において発生した結露水を表面に受ける機能を有するものであり、その結露水を室外に排出する排出口を有することは技術常識からみて明らかであるから、訂正発明８における「室内熱交換器において発生した結露水を表面に受け、受けた結露水を室外に排出する排水口が形成されているとともに、凹凸を表面に有するドレンパン」に相当する。 
　さらに、甲１発明１における「通常の冷房運転サイクル時及び除湿運転サイクル時には、室内熱交換器１７の温度が０℃以上となるようにするとともに、着霜運転時には、室内熱交換器１７の温度（ＴＣ）を温度Ｔｃｉｃｅ（ただし、Ｔｃｉｃｅ＜０℃）とする」ことは、着霜運転時に「通常の冷房運転サイクル時及び除湿運転サイクル時」（０℃以上）よりも室内熱交換器１７の温度を低い温度（Ｔｃｉｃｅ＜０℃）とすることであって、室内熱交換器１７の温度を低い温度とするために、室内熱交換機１７に対して低い蒸発温度の冷媒を通流させることは技術常識からみて明らかであるから、訂正発明８における「室内熱交換器に対し、冷房運転時及び除湿運転時に通流する冷媒の蒸発温度よりも低い蒸発温度の冷媒を通流させる」ことに相当する。
　
　よって、両者の一致点、相違点は以下のとおりである。 
　
［一致点］
「貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有する空気調和機。」
　 
［相違点１］
　訂正発明８においては、「前記ドレンパンは、弾力性を有する断熱材を備えるものであり、前記断熱材は、前記ドレンパンの内側の表面を構成するとともに凹凸を前記凹凸として表面に有し、前記室内熱交換器を構成するフィンは、前記ドレンパンとは、前記ドレンパンの内側を構成する前記断熱材を介して接触しており、前記ドレンパンを構成する凹凸のうちの凹んだ部分の内側に前記フィンの先端が前記断熱材を介して接触している」のに対して、甲１発明１においては、前ドレンパン１８ａがそのような断熱材を備えておらず、前ドレンパン１８ａ表面の凹凸の凹部の内側に室内熱交換器１７の先端が前記断熱材を介して接触していない点（以下、「相違点１」という。）。
　
　上記相違点１について検討する。
　
［相違点１について］
　甲２技術は、「空気調和機１の室内機２において、第２熱交換部２０ｂのフィン１３の先端を、凹凸を表面に有するドレンパンの凹部の内側に対して近接配置する技術」であって、 
　甲８技術１は、「空気調和機の室内ユニット１において、熱交換器４の先端を凹凸を表面に有するドレンパン１５ａの凹部の内側に対して近接配置する技術」である。
　さらに、参考１技術は、「表面に断熱材４６を配置した背面側ドレンパン４５において、背面側ドレンパン４５を構成する吸込風路壁構成部材４１を断熱材４６を介して背面側熱交換器５ｂの先端部で押さえる技術」であって、　 
　参考２技術は、「表面に断熱部材４６を配置したドレンパン４において、熱交換器６の下端部６ａをドレンパン４の断熱部材４３の上面に密着させ、熱交換器６の下端部６ａと断熱部材４３との間の隙間をなくなるようにする技術」である。
　ここで、ドレンパンの表面に断熱材を配置してドレンパンと熱交換器の下端部あるいは先端部が断熱材を介して接触させることは、参考１技術及び参考２技術により周知技術（以下、「周知技術１」という。）であると認められる。
　そして、上記甲２技術及び甲８技術１は、空気調和機の熱交換器の先端を凹凸部を設けたドレンパンの凹部に対して近接配置することに関するものであるから、凹凸を表面に有するドレンパン１８ａを備えた甲１発明１においてドレンパンの熱交換器の配置に関する甲２技術及び甲８技術１を適用して室内熱交換器１７の先端部を前ドレンパン１８ａの凹部の内側に近接配置することに困難性はない。
　しかし、甲１発明１の「凹凸を表面に有する前ドレンパン１８ａ」は、図１をみると内面側が複数の凸部を有する複雑な形状を有しており、内面側に断熱材を設けることが困難と認められる上に、室内熱交換器１７の先端部から前ドレンパン１８ａの背面側まで一定の距離があり結露が発生しにくい構造となっているから、甲１発明１において周知技術１における断熱材を配置する動機付けがない。
　さらに、周知技術１の断熱材は、表面に凹凸部を有するものではないから、該凹凸部のうち凹部の内側に熱交換器の下端部あるいは先端部が接触するものでもない。
　そうすると、甲１発明１において上記甲２技術及び甲８技術１を適用したものに、さらに周知技術１を適用する動機付けはなく、適用したとしても、訂正発明８における「前記断熱材は、前記ドレンパンの内側の表面を構成するとともに凹凸を前記凹凸として表面に有し」、「前記ドレンパンを構成する凹凸のうちの凹んだ部分の内側に前記フィンの先端が前記断熱材を介して接触している」という発明特定事項を有するものとはならない。
　よって、甲１発明１、甲２技術、甲８技術１及び周知技術１に基いて上記相違点１に係る訂正発明８の発明特定事項とすることは当業者が容易になし得たとすることはできない。
　したがって、訂正発明８は、甲１発明１、甲２技術、甲８技術１及び周知技術１に基いて当業者が容易に発明することができたとはいえない。
　
（２）訂正発明１１
　訂正発明１１と甲１発明１とを対比する。
　甲１発明１における「室内送風機１９」は、その機能、構成又は技術的意義から訂正発明１１における「貫流ファン」に相当し、以下同様に、「室内熱交換器１７」は「室内熱交換器」に、「通常の冷房運転サイクル時及び除湿運転サイクル時」は「冷房運転時及び除湿運転時」に、「室内制御部５０」は「制御部」に、「室内機１」は「室内機」にそれぞれ相当する。
　そして、甲１発明１における「凹凸を表面に有する前ドレンパン１８ａ」は、技術常識からみて、ドレンパンは熱交換器において発生した結露水を表面に受ける機能を有するものであり、その結露水を室外に排出する排出口を有することは技術常識から見て明らかであるから、訂正発明１１における「室内熱交換器において発生した結露水を表面に受け、受けた結露水を室外に排出する排水口が形成されているとともに、凹凸を表面に有するドレンパン」に相当する。 
　さらに、甲１発明１における「通常の冷房運転サイクル時及び除湿運転サイクル時には、室内熱交換器１７の温度が０℃以上となるようにするとともに、着霜運転時には、室内熱交換器１７の温度（ＴＣ）を温度Ｔｃｉｃｅ（ただし、Ｔｃｉｃｅ＜０℃）とする」ことは、着霜運転時に「通常の冷房運転サイクル時及び除湿運転サイクル時」（０℃以上）よりも室内熱交換器１７の温度を低い温度（Ｔｃｉｃｅ＜０℃）とすることであって、室内熱交換器１７の温度を低い温度とするために、室内熱交換機１７に対して低い蒸発温度の冷媒を通流させることは技術常識からみて明らかであるから、訂正発明１１における「室内熱交換器に対し、冷房運転時及び除湿運転時に通流する冷媒の蒸発温度よりも低い蒸発温度の冷媒を通流させる」ことに相当する。
　
　よって、両者の一致点、相違点は以下のとおりである。 
　
［一致点］ 
「貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有する空気調和機。」
　 
［相違点２］
　訂正発明１１においては、「前記ドレンパンは、弾力性を有する断熱材を備えるものであり、前記断熱材は、前記ドレンパンの内側の表面を構成するとともに凹凸を前記凹凸として表面に有し、前記室内熱交換器を構成するフィンは、前記ドレンパンとは、前記ドレンパンの内側を構成する前記断熱材を介して接触しており、前記ドレンパンを構成する凹凸のうちの凹んだ部分の内側に前記フィンの先端が前記断熱材を介して接触している」のに対して、甲１発明１においては、前ドレンパン１８ａがそのような断熱材を備えておらず、前ドレンパン１８ａ表面の凹凸の凹部の内側に室内熱交換器１７の先端が前記断熱材を介して接触していない点（以下、「相違点２」という。）。
　
［相違点３］
　訂正発明１１においては、「前記ドレンパンのうち、前記結露水が流れる部分には撥水性の表面が配置されている」のに対して、甲１発明１においては、「前ドレンパン１８ａ」において、結露水が流れる部分には撥水性の表面が配置されているか不明である点（以下、「相違点３」という。）。
　
　上記相違点について検討する。
　
［相違点２について］
　甲２技術は、「空気調和機１の室内機２において、第２熱交換部２０ｂのフィン１３の先端を、凹凸を表面に有するドレンパンの凹部の内側に対して近接配置する技術」であって、 
　甲８技術１は、「空気調和機の室内ユニット１において、熱交換器４の先端を凹凸を表面に有するドレンパン１５ａの凹部の内側に対して近接配置する技術」である。
　さらに、参考１技術は、「表面に断熱材４６を配置した背面側ドレンパン４５において、背面側ドレンパン４５を構成する吸込風路壁構成部材４１を断熱材４６を介して背面側熱交換器５ｂの先端部で押さえる技術」であって、　 
　参考２技術は、「表面に断熱部材４６を配置したドレンパン４において、熱交換器６の下端部６ａをドレンパン４の断熱部材４３の上面に密着させ、熱交換器６の下端部６ａと断熱部材４３との間の隙間をなくなるようにする技術」である。
　ここで、ドレンパンの表面に断熱材を配置してドレンパンと熱交換器の下端部あるいは先端部が断熱材を介して接触させることは、参考１技術及び参考２技術により周知技術（以下、「周知技術１」という。）であると認められる。
　そして、上記甲２技術及び甲８技術１は、空気調和機の熱交換器の先端を凹凸部を設けたドレンパンの凹部に対して近接配置することに関するものであるから、凹凸を表面に有するドレンパン１８ａを備えた甲１発明１においてドレンパンの熱交換器の配置に関する甲２技術及び甲８技術１を適用して室内熱交換器１７の先端部を前ドレンパン１８ａの凹部の内側に近接配置することに困難性はない。
　しかし、甲１発明１の「凹凸を表面に有する前ドレンパン１８ａ」は、図１をみると内面側が複数の凸部を有する複雑な形状を有しており、内面側に断熱材を設けることが困難と認められる上に、室内熱交換器１７の先端部から前ドレンパン１８ａの背面側まで一定の距離があり結露が発生しにくい構造となっているから、甲１発明１において周知技術１における断熱材を配置する動機付けがない。
　さらに、周知技術１の断熱材は、表面に凹凸部を有するものではないから、該凹凸部のうち凹部の内側に熱交換器の下端部あるいは先端部が接触するものでもない。
　そうすると、甲１発明１において上記甲２技術及び甲８技術１を適用したものに、さらに周知技術１を適用する動機付けはなく、適用したとしても、訂正発明１１における「前記断熱材は、前記ドレンパンの内側の表面を構成するとともに凹凸を前記凹凸として表面に有し」、「前記ドレンパンを構成する凹凸のうちの凹んだ部分の内側に前記フィンの先端が前記断熱材を介して接触している」という発明特定事項を有するものとはならない。
　よって、甲１発明１、甲２技術、甲８技術１及び周知技術１に基いて上記相違点２に係る訂正発明１１の発明特定事項とすることは当業者が容易になし得たとすることはできない。
　また、甲７技術、甲８技術２、甲９技術及び甲１０技術は、空気調和器における熱交換器からのドレンを受けるドレンパンの表面を撥水性のものとすることが周知技術（以下、「周知技術２」という。）であることを示すものであって、上記相違点２に係る訂正発明１１の発明特定事項を示すものではない。
　したがって、訂正発明１１は、上記相違点３について検討するまでもなく、甲１発明１、甲２技術、甲８技術１、周知技術１及び周知技術２に基いて当業者が容易に発明することができたとはいえない。
　
（３）訂正発明１４
　訂正発明１４と甲１発明２とを対比する。
　甲１発明２における「室内送風機１９」は、その機能、構成又は技術的意義から訂正発明１４における「貫流ファン」に相当し、以下同様に、「室内熱交換器１７」は「室内熱交換器」に、「通常の冷房運転サイクル時及び除湿運転サイクル時」は「冷房運転時及び除湿運転時」に、「室内制御部５０」は「制御部」に、「室内機１」は「室内機」にそれぞれ相当する。
　そして、甲１発明２における「凹凸を表面に有する前ドレンパン１８ａ」は、技術常識からみて、ドレンパンは熱交換器において発生した結露水を表面に受ける機能を有するものであり、その結露水を室外に排出する排出口を有することは技術常識からみて明らかであるから、訂正発明１４における「室内熱交換器において発生した結露水を表面に受け、受けた結露水を室外に排出する排水口が形成されているとともに、凹凸を表面に有するドレンパン」に相当する。 
　さらに、甲１発明２における「通常の冷房運転サイクル時及び除湿運転サイクル時には、室内熱交換器１７の温度が０℃以上となるようにするとともに、着霜運転時には、室内熱交換器１７の温度（ＴＣ）を温度Ｔｃｉｃｅ（ただし、Ｔｃｉｃｅ＜０℃）とする」ことは、着霜運転時に「通常の冷房運転サイクル時及び除湿運転サイクル時」（０℃以上）よりも室内熱交換器１７の温度を低い温度（Ｔｃｉｃｅ＜０℃）とすることであって、室内熱交換器１７の温度を低い温度とするために、室内熱交換機１７に対して低い蒸発温度の冷媒を通流させることは技術常識からみて明らかであるから、訂正発明１４における「室内熱交換器に対し、冷房運転時及び除湿運転時に通流する冷媒の蒸発温度よりも低い蒸発温度の冷媒を通流させる」ことに相当し、
　甲１発明２における「室内熱交換器１７の温度（ＴＣ）を温度Ｔｃｉｃｅ（ただし、Ｔｃｉｃｅ＜０℃）とすること」は、訂正発明１４における「冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させ（る）」ことに相当し、以下同様に、「室内熱交換器１７の親水性プレコートフィンＦに対して着霜させ（る）」は「室内熱交換器の表面に霜を発生させ（る）」に、「室内熱交換器１７の除霜を行うことにより除霜水を発生させ（る）」は「発生した霜を解凍することで液体の水を発生させ（る）」に、それぞれ相当する。
　
　よって、両者の一致点、相違点は以下のとおりである。
　
［一致点］
「貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
　前記室内熱交換器の表面に霜を発生させた後に、発生した霜を解凍することで液体の水を発生させる空気調和機。」　
　
［相違点４］
　訂正発明１４においては、「前記ドレンパンは、弾力性を有する断熱材を備えるものであり、前記断熱材は、前記ドレンパンの内側の表面を構成するとともに凹凸を前記凹凸として表面に有し、前記室内熱交換器を構成するフィンは、前記ドレンパンとは、前記ドレンパンの内側を構成する前記断熱材を介して接触しており、前記ドレンパンを構成する凹凸のうちの凹んだ部分の内側に前記フィンの先端が前記断熱材を介して接触している」のに対して、甲１発明２においては、前ドレンパン１８ａがそのような断熱材を備えておらず、前ドレンパン１８ａ表面の凹凸の凹部の内側に室内熱交換器１７の先端が前記断熱材を介して接触していない点（以下、「相違点４」という。）。
　
［相違点５］
　訂正発明１４においては、「発生した霜を解凍することで液体の水を発生させて、結露水としてドレンパンに流す」のに対して、甲１発明２においては、「室内熱交換器１７の除霜を行うこと」による除霜水を前ドレンパン１８ａに流すことが明記されていない点（以下、「相違点５」という。）。
　
　上記相違点について検討する。
　
［相違点４について］
　甲２技術は、「空気調和機１の室内機２において、第２熱交換部２０ｂのフィン１３の先端を、凹凸を表面に有するドレンパンの凹部の内側に対して近接配置する技術」であって、 
　甲８技術１は、「空気調和機の室内ユニット１において、熱交換器４の先端を凹凸を表面に有するドレンパン１５ａの凹部の内側に対して近接配置する技術」である。
　さらに、参考１技術は、「表面に断熱材４６を配置した背面側ドレンパン４５において、背面側ドレンパン４５を構成する吸込風路壁構成部材４１を断熱材４６を介して背面側熱交換器５ｂの先端部で押さえる技術」であって、　 
　参考２技術は、「表面に断熱部材４６を配置したドレンパン４において、熱交換器６の下端部６ａをドレンパン４の断熱部材４３の上面に密着させ、熱交換器６の下端部６ａと断熱部材４３との間の隙間をなくなるようにする技術」である。
　ここで、ドレンパンの表面に断熱材を配置してドレンパンと熱交換器の下端部あるいは先端部が断熱材を介して接触させることは、参考１技術及び参考２技術により周知技術（以下、「周知技術１」という。）であると認められる。
　そして、上記甲２技術及び甲８技術１は、空気調和機の熱交換器の先端を凹凸部を設けたドレンパンの凹部に対して近接配置することに関するものであるから、凹凸を表面に有するドレンパン１８ａを備えた甲１発明２においてドレンパンの熱交換器の配置に関する甲２技術及び甲８技術１を適用して室内熱交換器１７の先端部を前ドレンパン１８ａの凹部の内側に近接配置することに困難性はない。
　しかし、甲１発明２の「凹凸を表面に有する前ドレンパン１８ａ」は、図１をみると内面側が複数の凸部を有する複雑な形状を有しており、内面側に断熱材を設けることが困難と認められる上に、室内熱交換器１７の先端部から前ドレンパン１８ａの背面側まで一定の距離があり結露が発生しにくい構造となっているから、甲１発明２において周知技術１における断熱材を配置する動機付けがない。
　さらに、周知技術１の断熱材は、表面に凹凸部を有するものではないから、該凹凸部のうち凹部の内側に熱交換器の下端部あるいは先端部が接触するものでもない。
　そうすると、甲１発明２において上記甲２技術及び甲８技術１を適用したものに、さらに周知技術１を適用する動機付けはなく、適用したとしても、訂正発明１４における「前記断熱材は、前記ドレンパンの内側の表面を構成するとともに凹凸を前記凹凸として表面に有し」、「前記ドレンパンを構成する凹凸のうちの凹んだ部分の内側に前記フィンの先端が前記断熱材を介して接触している」という発明特定事項を有するものとはならない。
　よって、甲１発明２、甲２技術、甲８技術１及び周知技術１に基いて上記相違点４に係る訂正発明１４の発明特定事項とすることは当業者が容易になし得たとすることはできない。
　したがって、上記相違点５について検討するまでもなく、訂正発明１４は、甲１発明２、甲２技術、甲８技術１及び周知技術１に基いて当業者が容易に発明することができたとはいえない。
　
６　取消理由通知（決定の予告）において採用しなかった特許異議申立理由について
（１）特許異議申立理由
ア　本件特許の請求項１４に係る発明は、本件特許の出願前日本国内または外国において頒布された甲第１号証に記載された発明又は電気通信回線を通じて公衆に利用可能となった発明であって、特許法第２９条第１項第３号に該当し、特許を受けることができないから、その発明に係る特許は取り消すべきものである。　
　
イ　特許異議申立理由についての判断
　本件特許の請求項１４に係る発明は、訂正が認められたことにより訂正発明１４に対応する。そして、上記５（３）において判断したとおり、訂正発明１４は甲第１号証に記載された甲１発明２と、少なくとも上記［相違点４］において実質的に相違するものであるから、訂正発明１４は甲１発明２であるとはいえない。
　
（２）特許異議申立書に挙げられた甲号証のうち採用しなかったものについて
　甲第３号証ないし甲第６号証は、それぞれドレンパンに対する熱交換器の下端部の配置について開示するものであり、甲第１１号証は、ドレンパンの水受け部の材料について開示している。
　しかし、甲第３号証ないし甲第６号証及び甲第１１号証は、いずれも「前記ドレンパンは、弾力性を有する断熱材を備えるものであり、前記断熱材は、前記ドレンパンの内側の表面を構成するとともに凹凸を前記凹凸として表面に有し」、「前記ドレンパンを構成する凹凸のうちの凹んだ部分の内側に前記フィンの先端が断熱材を介して接触している」という上記相違点１、２及び４に係る訂正発明８、１１及び１４における発明特定事項を示すものではない。
　
（３）令和１年１０月３１日提出の異議申立人による意見書について
　同意見書第１１ページ第１ないし３行において異議申立人は「また、甲１号証に記載のドレンパンに断熱材を設ける場合、凸部を設ける場合、凸部を残しつつ断熱材を貼るわけではなく、凸部に換えて断熱材を設けることが当然である。このため参考技術３との組合せが困難であるとの主張は成り立たない。」と主張する。
　この異議申立人による主張について検討すると、参考３（特開２０１４−７７５９１号公報）には、空気調和機の室内ユニット１において、ドレンパン６の内面側に一体の発泡断熱材１９が設けられ、発泡断熱材１９の内面側に
室内熱交換器４の下端を載置する台座２０
　しかし、参考３の発泡断熱材１９の内面側に設けられている凸部は室内熱交換器４の下端を載置するための台座であるから、台座としての機能を有さない甲第１号証に記載のドレンパンの凸部に換えて断熱材を設ける動機付けはない。
　そして、異議申立人の主張のとおり、甲第１号証に記載のドレンパンの凸部に換えて参考３における発泡断熱材１９を甲第１号証に記載のドレンパンに適用すると、発泡断熱材１９に形成された台座２０は室内熱交換器４の下端を載置するためのものであるから、ドレンパンの内側の表面を構成する凹凸のうちの凸部に載置することとなり、「前記ドレンパンは、弾力性を有する断熱材を備えるものであり、前記断熱材は、前記ドレンパンの内側の表面を構成するとともに凹凸を前記凹凸として表面に有し」、「前記ドレンパンを構成する凹凸のうちの凹んだ部分の内側に前記フィンの先端が断熱材を介して接触している」という訂正発明８、１１及び１４における発明特定事項を備えるに至らないことは明らかである。
　なお、参考４ないし６に記載されたドレンパンの内面側に設けられた断熱材における凸部は、いずれも室内熱交換器の下端が載置されるものであるから、上記参考３と同様である。　
　
第４　むすび
　以上のとおりであるから、取消理由通知に記載した取消理由及び特許異議申立書に記載した申立ての理由によっては、本件請求項８、１１及び１４に係る特許を取り消すことはできない。
　また、他に本件請求項８、１１及び１４に係る特許を取り消すべき理由を発見しない。
　よって、結論のとおり決定する。
【異議決定日】
令和１年１１月１４日（２０１９．１１．１４）
【訂正の要旨】
審決（決定）の【理由】欄参照。
（５７）【特許請求の範囲】
　【請求項１】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記ドレンパンは、前記左右方向流路の表面に断熱材を備える一方で、前記前後方向流路の表面には断熱材を備えないことを特徴とする空気調和機。
　【請求項２】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記凹凸は、前記左右方向流路の内部に、前記室内機の正面視で左右方向に延在しており、
　前記ドレンパンは、前記左右方向流路の表面に断熱材を備える一方で、前記前後方向流路の表面には断熱材を備えないことを特徴とする空気調和機。
　【請求項３】
　前記左右方向流路の表面に備えられた断熱材は、前記室内熱交換器において発生した結露水を受ける部分に配置され、
　前記凹凸は当該断熱材の表面に形成されていることを特徴とする、請求項１又は２に記載の空気調和機。
　【請求項４】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記前後方向流路の背面側には、前記排水口が形成されていることを特徴とする空気調和機。
　【請求項５】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記凹凸は、前記左右方向流路の内部に、前記室内機の正面視で左右方向に延在しており、
　前記前後方向流路の背面側には、前記排水口が形成されていることを特徴とする空気調和機。
　【請求項６】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記前後方向流路の底面には、前記排水口の近傍において、前記排水口に向かって下る傾斜が形成されており、
　前記前後方向流路には凸部が形成され、
　当該凸部は、前記傾斜の途中で無くなるように前記傾斜の下る方向に徐々に高さが低くなっていることを特徴とする空気調和機。
　【請求項７】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記凹凸は、前記左右方向流路の内部に、前記室内機の正面視で左右方向に延在しており、
　前記前後方向流路の底面には、前記排水口の近傍において、前記排水口に向かって下る傾斜が形成されており、
　前記前後方向流路には凸部が形成され、
　当該凸部は、前記傾斜の途中で無くなるように前記傾斜の下る方向に徐々に高さが低くなっていることを特徴とする空気調和機。
　【請求項８】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、弾力性を有する断熱材を備えるものであり、前記断熱材は、前記ドレンパンの内側の表面を構成するとともに凹凸を前記凹凸として表面に有し、
　前記室内熱交換器を構成するフィン
は、
、前記ドレンパンの内側を構成する前記断熱材を介して
　前記ドレンパンを構成する凹凸のうちの凹んだ部分の内側に前記フィンの先端が
前記断熱材を介して
　【請求項９】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記室内熱交換器を構成するフィンと前記ドレンパンとは接触しており、
　前記ドレンパンを構成する凹凸のうちの凹んだ部分の内側に前記フィンの先端が接触していることを特徴とする空気調和機。
　【請求項１０】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記凹凸は、前記左右方向流路の内部に、前記室内機の正面視で左右方向に延在しており、
　前記室内熱交換器を構成するフィンと前記ドレンパンとは接触しており、
　前記ドレンパンを構成する凹凸のうちの凹んだ部分の内側に前記フィンの先端が接触していることを特徴とする空気調和機。
　【請求項１１】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、弾力性を有する断熱材を備えるものであり、前記断熱材は、前記ドレンパンの内側の表面を構成するとともに凹凸を前記凹凸として表面に有し、
　前記室内熱交換器を構成するフィンは、前記ドレンパンとは、前記ドレンパンの内側を構成する前記断熱材を介して接触しており、
　前記ドレンパンを構成する凹凸のうちの凹んだ部分の内側に前記フィンの先端が前記断熱材を介して接触しており、
　前記ドレンパンのうち、前記結露水が流れる部分には撥水性の表面が配置されていることを特徴とする空気調和機。
　【請求項１２】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記ドレンパンのうち、前記結露水が流れる部分には撥水性の表面が配置されていることを特徴とする空気調和機。
　【請求項１３】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記凹凸は、前記左右方向流路の内部に、前記室内機の正面視で左右方向に延在しており、
　前記ドレンパンのうち、前記結露水が流れる部分には撥水性の表面が配置されていることを特徴とする空気調和機。
　【請求項１４】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、弾力性を有する断熱材を備えるものであり、前記断熱材は、前記ドレンパンの内側の表面を構成するとともに凹凸を前記凹凸として表面に有し、
　前記室内熱交換器を構成するフィンは、前記ドレンパンとは、前記ドレンパンの内側を構成する前記断熱材を介して接触しており、
　前記ドレンパンを構成する凹凸のうちの凹んだ部分の内側に前記フィンの先端が前記断熱材を介して接触しており、
　前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
　前記室内熱交換器の表面に霜を発生させた後に、発生した霜を解凍することで液体の水を発生させて、結露水として前記ドレンパンに流すことを特徴とする空気調和機。
　【請求項１５】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
　前記室内熱交換器の表面に霜を発生させた後に、発生した霜を解凍することで液体の水を発生させて、結露水として前記ドレンパンに流すことを特徴とする空気調和機。
　【請求項１６】
　貫流ファンと、
　室内熱交換器と、
　当該室内熱交換器の下方に配置されて前記室内熱交換器において発生した結露水を表面に受け、受けた結露水を室外に排水する排水口が形成されているとともに、凹凸を表面に有するドレンパンと、
　前記室内熱交換器に対し、冷房運転時及び除湿運転時に通流する冷媒の蒸発温度よりも低い蒸発温度の冷媒を通流させる制御部と、を備える室内機を有し、
　前記ドレンパンは、前記室内機の正面視で左右方向に延在する左右方向流路と、当該左右方向流路の左右両端にそれぞれに接続され、前記室内機の正面から背面に向かって延在する前後方向流路とを備えて構成され、
　前記凹凸は、前記左右方向流路の内部に、前記室内機の正面視で左右方向に延在しており、
　前記制御部は、冷房運転時及び除湿運転時に通流する冷媒の蒸発温度よりも低い蒸発温度であって、かつ、前記室内熱交換器の表面に霜を発生させる蒸発温度の冷媒を前記室内熱交換器に通流させて、前記室内熱交換器の表面に霜を発生させ、
　前記室内熱交換器の表面に霜を発生させた後に、発生した霜を解凍することで液体の水を発生させて、結露水として前記ドレンパンに流すことを特徴とする空気調和機。